(57)【特許請求の範囲】
【請求項１】
構造物に設けられた窓の遮光を行う遮光装置であって、前記窓の周囲に取り付ける方形の枠体と、前記窓の開口の少なくとも一部を覆って遮光を行う遮光体と、前記枠体の下部に設けられて前記遮光体を収納する収納部と、前記遮光体の上側端縁部の左右両端部を吊り下げる状態でこれらの左右両端部に接続された左右のワイヤと、これらの左右のワイヤをそれぞれ巻き取る左右のリールと、前記窓の遮光範囲を拡大する際には、前記ワイヤを巻き取る方向に前記リールを回転させることにより前記遮光体の上側端縁部を上方に引き揚げて前記遮光体を前記収納部から徐々に引き出すとともに、前記窓の遮光範囲を縮小する際には、前記ワイヤを送り出す方向に前記リールを回転させることにより前記遮光体の上側端縁部を下方に降ろして前記遮光体を前記収納部に徐々に収納する巻取用モータとを備え、
前記遮光体は、複数のスラットを紐状部材で連結して並行に配置して形成されたブラインドであり、
前記複数のスラットのうち最も上側のスラットの左右両端部に取り付けられた左右の軸をそれぞれ上下に摺動案内するために前記枠体の左右両側部分に設けられたガイドレールと、前記最も上側のスラットの左右の軸のうちのいずれか一方の軸を回転させることによりこの最も上側のスラットの傾斜を調整するとともに、これに伴って前記複数のスラットのうち前記収納部から外に出ている他のスラットの傾斜も調整する傾斜調整用モータと、前記最も上側のスラットの左右の軸にそれぞれ回転自在に取り付けられた左右のプーリとを備え、
前記左右のワイヤは、前記左右のプーリを介して前記最も上側のスラットの左右の軸を吊り下げる状態を保持したまま前記左右のリールに巻き取られる構成とされ、
前記傾斜調整用モータの回転子側は、前記最も上側のスラットの左右の軸のうちのいずれか一方の軸に固定されて前記最も上側のスラットと一体的に回転し、前記傾斜調整用モータの固定子側は、前記傾斜調整用モータのケースまたはこのケースに固定された部材と一体化されて前記ガイドレールにより上下に摺動案内される構成とされていることを特徴とする遮光装置。
【発明の詳細な説明】
【技術分野】
【０００１】
本発明は、建築物等の固定構造物や船舶等の移動構造物に設けられた窓の遮光を行う遮光装置に係り、例えば、風呂場、トイレ、洗面所の窓の遮光や目隠しを行う場合等に利用できる。
【背景技術】
【０００２】
従来より、建築物等の各種構造物に設けられた窓には、遮光や目隠しを行うために、複数のスラットを連結して形成されたブラインドやロールカーテン等を用いた遮光装置が設置されている。これらのブラインドやロールカーテン等の遮光体は、通常、使用しないときには、窓の上部に収納され、遮光や目隠しを行う際に、上方から下方に徐々に降ろされて遮光範囲（目隠しする範囲）を拡げていくようになっている。また、左右の側方から中心部に向かって遮光体が閉じられていく構成のものもある。そして、遮光装置には、ブラインドやロールカーテン等を手動で操作することができるものと、モータを使用した電動式のものとがある。
【０００３】
なお、本発明に関連する技術としては、例えば、１つの駆動モータでブラインドの開閉および角度の調節を行うことができる電動ブラインドが知られているが、この装置も、遮光の際には、上方から下方へとブラインドを降ろしていく従来型の構成となっている（特許文献１参照）。
【先行技術文献】
【特許文献】
【０００４】
【特許文献１】特開２００３−３０１６７３号公報
【発明の概要】
【発明が解決しようとする課題】
【０００５】
しかしながら、前述したブラインドやロールカーテン等の遮光体を用いた従来の遮光装置では、手動式、電動式のいずれについても、閉じる際、すなわち遮光範囲（目隠しする範囲）を拡げる際には、遮光体を上方から下方に向かって移動させるか、左右の側方から中心部に向かって移動させるので、前者の場合には、窓の開口の上部から遮光範囲が拡がっていき、窓の開口の下部が最後に塞がれ（遮光体で覆われ）、後者の場合には、窓の開口の左右両側部分から遮光範囲が拡がっていき、窓の開口の中心部が最後に塞がれる状態となる。
【０００６】
このため、窓の開口のうち最後に塞がれる部分に着目すると、窓の内側にいる者が、窓の外側からの不都合な目線を遮断するには、より端的に言えば、自分が隠したい部分を完全に隠すためには、結局、全閉状態、すなわち窓の開口の全部を覆う状態にしなければならないことが多い。そして、遮光装置を全閉状態にすれば、窓の内側の空間には自然光は入らないので、電灯を付けない限り、室内は暗くなってしまう。従って、窓の内側にいる者が目隠しする必要のある部分を適切に隠すことができ、かつ、適度な採光を行うことができる遮光装置があれば、便利である。
【０００７】
本発明の目的は、適切な目隠しと適度な採光とを同時に実現できる遮光装置を提供するところにある。
【課題を解決するための手段】
【０００８】
本発明は、構造物に設けられた窓の遮光を行う遮光装置であって、窓の周囲に取り付ける方形の枠体と、窓の開口の少なくとも一部を覆って遮光を行う遮光体と、枠体の下部に設けられて遮光体を収納する収納部と、遮光体の上側端縁部の左右両端部を吊り下げる状態でこれらの左右両端部に接続された左右のワイヤと、これらの左右のワイヤをそれぞれ巻き取る左右のリールと、窓の遮光範囲を拡大する際には、ワイヤを巻き取る方向にリールを回転させることにより遮光体の上側端縁部を上方に引き揚げて遮光体を収納部から徐々に引き出すとともに、窓の遮光範囲を縮小する際には、ワイヤを送り出す方向にリールを回転させることにより遮光体の上側端縁部を下方に降ろして遮光体を収納部に徐々に収納する巻取用モータとを備えたことを特徴とするものである。
【０００９】
ここで、「構造物に設けられた窓」は、例えば風呂場、トイレ、洗面所の窓等のように、主として建築物等の固定構造物に設けられた窓であるが、これに限らず、キャンピングカーの窓（但し、居室部分の窓のことであり、運転席や助手席の横の窓のことではない。）、バス、列車、船舶、飛行機等の移動構造物に設けられた窓も含まれる。また、屋内と屋外との境界を形成する外周壁に設けられた窓だけではなく、例えば居室と風呂場との境界等のような屋内空間を仕切る間仕切壁に設けられた窓も含まれる。なお、移動構造物の場合には、例えば、船舶であれば、船内空間と船外空間とを隔てる外周壁に相当する部分の外側は、甲板（デッキ）になっていて人が歩く可能性があり、また、船内空間でも、人が往来する通路と船室とを仕切る間仕切壁に相当する部分等があるので、以下に述べる本発明の作用・効果が発揮され得る窓が存在する。
【００１０】
このような本発明の遮光装置においては、閉じる際、すなわち窓の開口を覆って遮光範囲を拡げる際には、巻取用モータにより左右のワイヤを巻き取って遮光体の上側端縁部を上方に引き揚げることにより、枠体の下部に設けられた収納部から遮光体を上方に徐々に引き出していくので、遮光体の上側端縁部が窓の内側にいる者にとって所望の目隠しを行うことができる適宜な位置に到達したところで、巻取用モータを停止させれば、遮光体により窓の開口の下部が覆われて適切な目隠しが実現されるとともに、窓の開口の上部には、遮光（目隠し）されない部分が形成され、上部からの適度な採光が実現される。
【００１１】
このため、従来の遮光装置のように、必要な目隠しを行った結果、採光が全くできなくなり、室内が暗くなってしまうという不都合を解消することが可能となり、これにより前記目的が達成される。
【００１２】
より具体的には、遮光体を複数のスラットを連結して形成されるブラインドとする場合には、次のような構成とすることが望ましい。すなわち、前述した遮光装置において、遮光体は、複数のスラットを紐状部材で連結して並行に配置して形成されたブラインドであり、複数のスラットのうち最も上側のスラットの左右両端部に取り付けられた左右の軸をそれぞれ上下に摺動案内するために枠体の左右両側部分に設けられたガイドレールと、最も上側のスラットの左右の軸のうちのいずれか一方の軸を回転させることによりこの最も上側のスラットの傾斜を調整するとともに、これに伴って複数のスラットのうち収納部から外に出ている他のスラットの傾斜も調整する傾斜調整用モータと、最も上側のスラットの左右の軸にそれぞれ回転自在に取り付けられた左右のプーリとを備え、左右のワイヤは、左右のプーリを介して最も上側のスラットの左右の軸を吊り下げる状態を保持したまま左右のリールに巻き取られる構成とされ、傾斜調整用モータの回転子側は、最も上側のスラットの左右の軸のうちのいずれか一方の軸に固定されて最も上側のスラットと一体的に回転し、傾斜調整用モータの固定子側は、傾斜調整用モータのケースまたはこのケースに固定された部材と一体化されてガイドレールにより上下に摺動案内される構成とされていることが望ましい。
【００１３】
このように遮光体をブラインドとし、傾斜調整用モータでスラットの傾斜を調整する構成とした場合には、傾斜調整用モータにより電動でスラットの傾斜調整を行うことができるので、調整操作に伴うユーザの労力を軽減することが可能となる。
【００１４】
また、傾斜調整用モータのケースまたはこのケースに固定された部材が、ガイドレールにより上下に摺動案内されるようになっているので、傾斜調整用モータの姿勢を一定に保持しつつ、最も上側のスラットを回転させることが可能となり、安定したスラットの傾斜調整を行うことができるようになる。つまり、傾斜調整用モータの固定子側は、ガイドレールに沿って上下には動くが、空間に対して回転はしないように姿勢が保持されるので、傾斜調整用モータの回転が、最も上側のスラットに確実に伝達されるようになる。
【００１５】
また、遮光体をロールカーテンとする場合には、次のような構成とすることが望ましい。すなわち、前述した遮光装置において、遮光体は、収納部に巻き取り収納されるロールカーテンであり、ロールカーテンの上側端縁部に設けられた軸の左右両端部を上下に摺動案内するために枠体の左右両側部分に設けられたガイドレールと、ロールカーテンの上側端縁部に設けられた軸の左右両端部にそれぞれ回転自在に取り付けられた左右のプーリと、拡げられたロールカーテンを収納する方向に付勢する巻き戻しばねとを備え、左右のワイヤは、左右のプーリを介してロールカーテンの上側端縁部に設けられた軸の左右両端部を吊り下げる状態を保持したまま左右のリールに巻き取られる構成とされていることが望ましい。
【００１６】
このように遮光体をロールカーテンとした場合には、巻き戻しばねが設けられているので、枠体の下部に設けられた収納部から上方に送り出されて拡げられたロールカーテンは、常に収納部に収納される方向に引っ張られている状態となる。このため、ロールカーテンを拡げた際には、撓むことなく遮光を行う姿勢を保持し、収納部に収納する際にも、撓むことなく円滑な収納が実現される。
【発明の効果】
【００１７】
以上に述べたように本発明によれば、枠体の下部に設けられた収納部に収納された遮光体が下方から上方に拡げられ、この遮光体の動きにより、窓の開口の下部から順に遮光（目隠し）が行われていくので、遮光体の上側端縁部が適宜な位置に到達したところで巻取用モータを停止させれば、適切な目隠しと適度な採光とを同時に実現することができるという効果がある。
【図面の簡単な説明】
【００１８】
【図１】本発明の一実施形態の遮光装置の全体構成を示す斜視図。
【図２】前記実施形態の遮光装置の要部を示す斜視図。
【図３】前記実施形態の遮光装置の下方の要部を示す拡大斜視図。
【図４】前記実施形態の遮光装置の上方の要部を示す拡大斜視図。
【図５】本発明の別の実施形態の遮光装置の要部を示す斜視図。
【発明を実施するための形態】
【００１９】
以下に本発明の一実施形態について図面を参照して説明する。図１には、本実施形態の遮光装置１０の全体構成が示されている。図２は、図１に示された組立完了状態にある遮光装置１０から枠体２０の図中の手前側の構成部材を取り外した状態であり、遮光装置１０の要部を含む内部構成が示されている。図３は、遮光装置１０の下方の要部を示す拡大斜視図であり、遮光体の収納状態が示されている。図４は、遮光装置１０の上方の要部を示す拡大斜視図であり、遮光体の駆動機構の詳細が示されている。
【００２０】
図１および図２において、遮光装置１０は、窓の周囲に取り付ける方形（長方形または正方形）の枠体２０と、窓の開口の少なくとも一部を覆って遮光を行う遮光体であるブラインド３０と、枠体２０の下部２１に設けられてブラインド３０を収納する収納部４０と、ブラインド３０の上側端縁部の左右両端部を吊り下げる状態でこれらの左右両端部に接続された左右のワイヤ５０，５１と、これらの左右のワイヤ５０，５１をそれぞれ巻き取る左右のリール６０，６１と、枠体２０の上部２２に設けられてブラインド３０の昇降のために左右のリール６０，６１を固定した軸６２を回転駆動する巻取用モータ７０と、ブラインド３０の上側端縁部の左右両端部を上下に摺動案内するために枠体２０の左側部２３および右側部２４の内側に設けられたガイドレール８０，８１と、ブラインド３０を構成する各スラット３１の傾斜を調整する傾斜調整用モータ９０とを備えている。
【００２１】
ここで、遮光装置１０は、例えば、風呂場、トイレ、洗面所の窓等に設置することが好適であるが、これに限定されるものではない。また、枠体２０の形状は、方形（四角形）であるが、窓の開口形状は、方形に限定されるものではなく、三角形、台形、円形等、任意である。さらに、ブラインド３０は、窓の開口の全部を覆うことができる大きさを有していることが好ましいが、全閉にした状態（遮光範囲を最大にした状態）で、窓の開口の上部に遮光（目隠し）されない部分が生じる大きさとしてもよい。
【００２２】
枠体２０は、室内側に向けて配置される前面（図１中の手前側の面）の部材２５を着脱自在に構成され、図２に示すように、前面の部材２５を取り外すことにより、巻取用モータ７０や傾斜調整用モータ９０を含む駆動機構のメンテナンスを行うことができるようになっている。枠体２０の材質は、形状を保つための一定の強度を確保することができれば、スチール製（鋼製）、アルミニウム合金製、ステンレス鋼製、木製、合成樹脂製等、任意である。
【００２３】
ブラインド３０は、複数の薄板状のスラット３１を紐状部材３２により左右両端部の合計４箇所で連結して並行に配置して形成されている。なお、紐状部材３２による連結箇所は、左右両端部だけではなく、中間部分に１箇所または複数箇所設けてもよく、従って、合計６箇所、８箇所、１０箇所等であってもよい。スラット３１の材質は、その面形状をある程度保つことができる強度を有するものであれば、金属製、合成樹脂製、木製等、任意である。また、紐状部材３２の材質は、図３に示すように、各スラット３１を積み重ねて収納部４０へ収納できるように可撓性を有し、かつ、図２に示すように、ブラインド３０を拡げた際に各スラット３１の間隔を一定に保つことができるように大きくは伸びない引張強さを有するものであれば、ナイロンやポリプロピレン等の合成樹脂、木綿、麻、絹、金属製ワイヤ等、任意である。
【００２４】
図３に示すように、ブラインド３０は、枠体２０の下部２１に設けられた収納部４０に収納された状態では、外部から見えなくなるようになっている。すなわち、図３では、前面の部材２５（図１参照）が取り外された状態であるが、図１のように前面の部材２５を取り付ければ、室内側からは見えなくなる。
【００２５】
図２〜図４に示すように、複数のスラット３１のうち最も上側のスラット３１Ａ（ブラインド３０の上側端縁部に相当する部材）の左右両端部に取り付けられた左右の軸３３，３４には、プーリ（滑車）３５，３６がベアリングを介して回転自在に取り付けられている。左右のワイヤ５０，５１は、これらの左右のプーリ３５，３６を介して最も上側のスラット３１Ａの左右の軸３３，３４を吊り下げる状態を保持したまま左右のリール６０，６１に巻き取られるようになっている。また、左右のワイヤ５０，５１の他方の端部（左右のリール６０，６１側とは反対側の端部）は、枠体２０の上部２２に設けられた部材５２に固定されている。ワイヤ５０，５１の材質は、金属製であることが好ましいが、必要な強度や耐久性を確保できれば、金属製以外であってもよい。
【００２６】
図４に示すように、巻取用モータ７０は、歯車７１，７２を介して左右のリール６０，６１が固定されている軸６２を回転させるようになっている。この巻取用モータ７０は、ステッパーモータ（ステッピングモータ、ステップモータ、パルスモータとも称される。）であり、リモートコントローラ（不図示）でＯＮ／ＯＦＦされ、細かい回転駆動のＯＮ／ＯＦＦ制御（ブラインド３０の昇降のＯＮ／ＯＦＦ制御）を行うことができる。また、巻取用モータ７０や軸６２の周りの部材は、枠体２０の上部２２の内側に形成された空間内に収まり、外部から見えないようになっている。すなわち、図４では、前面の部材２５（図１参照）が取り外された状態であるが、図１のように前面の部材２５を取り付ければ、室内側からは見えなくなる。
【００２７】
図２〜図４に示すように、枠体２０の左側部２３および右側部２４の内側に設けられたガイドレール８０，８１は、最も上側のスラット３１Ａの左右両端部に取り付けられた左右の軸３３，３４をそれぞれ上下に摺動案内するようになっている。
【００２８】
図２〜図４に示すように、傾斜調整用モータ９０は、最も上側のスラット３１Ａの左側端部に固定された軸３３に取り付けられている。なお、傾斜調整用モータ９０は、最も上側のスラット３１Ａの右側端部に固定された軸３４に取り付けてもよい。より正確には、傾斜調整用モータ９０の回転子側は、最も上側のスラット３１Ａの左右の軸３３，３４のうちのいずれか一方の軸（本実施形態では、左側の軸３３）に固定されて最も上側のスラット３１Ａと一体的に回転するようになっている。一方、傾斜調整用モータ９０の固定子側は、傾斜調整用モータ９０のケースまたはこのケースに固定された部材と一体化されて左右のガイドレール８０，８１のうちのいずれか一方（本実施形態では、左側のガイドレール８０）により上下に摺動案内されるようになっている。
【００２９】
この傾斜調整用モータ９０は、巻取用モータ７０と同様にステッパーモータであり、リモートコントローラ（不図示）でＯＮ／ＯＦＦされ、細かい回転駆動のＯＮ／ＯＦＦ制御（各スラット３１の傾斜の調整制御）を行うことができる。各スラット３１の傾斜角度は、１８０度の範囲の調整が可能である。また、傾斜調整用モータ９０は、枠体２０の左側部２３または右側部２４（本実施形態では、左側部２３）の内側に形成された空間内に収まり、外部から見えないようになっている。すなわち、図２〜図４では、前面の部材２５（図１参照）が取り外された状態であるが、図１のように前面の部材２５を取り付ければ、室内側からは見えなくなる。
【００３０】
このような本実施形態においては、以下のようにして巻取用モータ７０によりブラインド３０の昇降制御（開閉制御：但し、上昇で閉まり、下降で開くので、正確に対応させると閉開制御である。）が行われるとともに、傾斜調整用モータ９０により各スラット３１の傾斜の調整制御が行われる。
【００３１】
先ず、ブラインド３０を閉める動作を行う際、すなわちブラインド３０を拡げて窓の遮光範囲（目隠しする範囲）を拡大する際には、リモートコントローラ（不図示）を操作して巻取用モータ７０を閉動作ＯＮにし、巻取用モータ７０により軸６２を回転（正転）させて左右のワイヤ５０，５１を左右のリール６０，６１に巻き取っていく。左右のワイヤ５０，５１が巻き取られると、左右のプーリ３５，３６が回転し、ブラインド３０の上側端縁部に相当する最も上側のスラット３１Ａの左右の軸３３，３４の高さ位置が上がり、スラット３１Ａが上方に移動していくので、その結果として、ブラインド３０の全体が上方に引き揚げられて収納部４０から徐々に引き出されていく。この際、左右のプーリ３５，３６は回転するが、最も上側のスラット３１Ａおよびその左右の軸３３，３４は回転せず、上方に移動するだけであり、スラット３１Ａの傾斜は変わらない。そして、最も上側のスラット３１Ａが所望の位置に到達したところで、リモートコントローラ（不図示）を操作して巻取用モータ７０をＯＦＦにし、スラット３１Ａの上昇を停止させる。
【００３２】
一方、ブラインド３０を開ける動作を行う際、すなわちブラインド３０を畳んで窓の遮光範囲（目隠しする範囲）を縮小する際には、リモートコントローラ（不図示）を操作して巻取用モータ７０を開動作ＯＮにし、巻取用モータ７０により軸６２を反対方向に回転させて左右のワイヤ５０，５１を左右のリール６０，６１から送り出していく。左右のワイヤ５０，５１が送り出されると、左右のプーリ３５，３６が回転し、ブラインド３０の上側端縁部に相当する最も上側のスラット３１Ａの左右の軸３３，３４の高さ位置が下がり、スラット３１Ａが下方に移動していくので、その結果として、ブラインド３０の全体が下方に降ろされ、下側のスラット３１から順に自重で重なっていき、収納部４０に徐々に収納されていく。この際にも、左右のプーリ３５，３６は回転するが、最も上側のスラット３１Ａおよびその左右の軸３３，３４は回転せず、下方に移動するだけであり、スラット３１Ａの傾斜は変わらない。そして、最も上側のスラット３１Ａが最下部または所望の位置に到達したところで、リモートコントローラ（不図示）を操作して巻取用モータ７０をＯＦＦにし、スラット３１Ａの下降を停止させる。
【００３３】
次に、ブラインド３０を構成する各スラット３１の傾斜を調整する際には、リモートコントローラ（不図示）を操作して傾斜調整用モータ９０を閉動作ＯＮにし、傾斜調整用モータ９０により最も上側のスラット３１Ａの左右の軸３３，３４のうちのいずれか一方の軸（本実施形態では、左側の軸３３）を回転させてスラット３１Ａの傾斜を調整し、所望の傾斜に到達したところで、リモートコントローラ（不図示）を操作して傾斜調整用モータ９０をＯＦＦにし、軸３３の回転を停止させる。また、最も上側のスラット３１Ａの下方に配置されている他のスラット３１（但し、収納部４０から外に出ているスラット３１）も紐状部材３２で連結されているので、これらの他のスラット３１の傾斜も同時に調整される。この際、最も上側のスラット３１Ａの左右の軸３３，３４は回転するが、左右のプーリ３５，３６は回転せず、左右の軸３３，３４の高さ位置は変わらない。従って、巻取用モータ７０によるブラインド３０の昇降制御と、傾斜調整用モータ９０による各スラット３１の傾斜の調整制御とは、独立した駆動機構により実現されている。なお、リモートコントローラ（不図示）を操作して傾斜調整用モータ９０を開動作ＯＮにし、適宜なタイミングでＯＦＦにすれば、傾斜調整用モータ９０を反対方向に回転させ、各スラット３１の傾斜を水平方向に戻すことができる。
【００３４】
このような本実施形態によれば、次のような効果がある。すなわち、遮光装置１０では、ブラインド３０を閉じる動作を行う際、すなわち窓の開口を覆って遮光範囲を拡げる際には、ブラインド３０を枠体２０の下部２１に設けられた収納部４０から上方に徐々に引き出していくことができる。従って、ブラインド３０の上側端縁部に相当する最も上側のスラット３１Ａが、窓の内側にいる者にとって所望の目隠しを行うことができる適宜な位置に到達したところで、巻取用モータ７０を停止させれば、ブラインド３０により窓の開口の下部を覆って適切な目隠しを実現することができるとともに、窓の開口の上部に、遮光（目隠し）されない部分を形成し、上部からの適度な採光を実現することができる。このため、従来の遮光装置のように、必要な目隠しを行った結果、採光が全くできなくなり、室内が暗くなってしまうという不都合を解消することができる。
【００３５】
より具体的には、窓の内側にいる者は、リモートコントローラ（不図示）の操作により、細かいＯＮ／ＯＦＦ制御が可能なステッパーモータにより構成された巻取用モータ７０を自分で制御することができるので、例えば、自分の身長に合わせて、自由自在な高さ位置でブラインド３０の上側端縁部に相当する最も上側のスラット３１Ａを停止させることができる。このため、窓の開口の下部に、自分の身長に応じた遮光範囲（目隠しする範囲）を形成することができるとともに、窓の開口の上部に、採光用に開放しておく範囲を形成することができる。このため、窓の内側の部屋が全体的に暗くなってしまうという不都合を回避することができ、窓の外から太陽光線が入る昼間であれば、電灯を使用しなくても、ある程度の明るさを確保することができるので、電気代を節約することができる。また、リモートコントローラ（不図示）の操作により電動でブラインド３０の昇降を行うことができるので、例えば、女性、子供、老人、背の小さい人、力のない人、身体障害者等、誰でも容易にブラインド３０の開閉制御を行うことができる。
【００３６】
また、窓の外部からの視線を遮断し、室内にいる者のプライバシーを守るという観点からは、例えば、風呂場、トイレ、洗面所等、プライバシーを強く守るべき様々なプライベート空間の窓に、遮光装置１０を設置すれば効果的である。特に、一軒家の一階では、風呂場の窓等に、目隠し用の固定板材を設置することも多いが、室内が暗くなってしまうので、昼間でも電灯を付けなければならず、さらに、風通しが悪いので、真夏日には室内の温度が非常に高くなってしまうという不都合が生じる。これに対し、遮光装置１０を設置すれば、昼間に電灯を付ける必要はなくなるので、電気代を節約でき、かつ、各スラット３１の傾斜を調整すれば、風通しも確保できるので、目隠し用の固定板材の設置による不都合を解消することができる。
【００３７】
そして、目隠し用の固定板材を設置した場合には、窓の外から覗かれることを防止することはできるが、同時に窓の内側にいる人が窓の外の様子、例えば、天気が悪くなってきたことや、日が暮れてきたこと等を把握できなくなってしまう。これに対し、遮光装置１０を設置すれば、窓の開口の上部は開放された状態にすることができるので、このような不都合を解消することができる。
【００３８】
また、遮光装置１０は、傾斜調整用モータ９０を備えているので、この傾斜調整用モータ９０により電動で各スラット３１の傾斜調整を行うことができる。このため、調整操作に伴うユーザの労力を軽減することができる。
【００３９】
さらに、遮光装置１０では、傾斜調整用モータ９０のケースまたはこのケースに固定された部材が、ガイドレール８０により上下に摺動案内されるので、傾斜調整用モータ９０の姿勢を一定に保持しつつ、最も上側のスラット３１Ａを回転させることができ、安定したスラット３１の傾斜調整を行うことができる。つまり、傾斜調整用モータ９０の固定子側は、ガイドレール８０に沿って上下には動くが、空間に対して回転はしないように姿勢が保持されるので、傾斜調整用モータ９０の回転を、最も上側のスラット３１Ａに確実に伝達することができる。より端的に言えば、傾斜調整用モータ９０で最も上側のスラット３１Ａを回転させる際に、傾斜調整用モータ９０がケースごと空間に対してふら付いてしまうことを防止できる。
【００４０】
なお、本発明は前記実施形態に限定されるものではなく、本発明の目的を達成できる範囲内での変形等は本発明に含まれるものである。
【００４１】
例えば、前記実施形態の遮光装置１０では、遮光体は、複数のスラット３１を連結して形成されたブラインド３０とされていたが、これに限定されるものではなく、図５に示す遮光装置１００のように、可撓性を有するシート状部材で形成されたロールカーテン１３０としてもよい。ロールカーテン１３０の材質は、布製、ビニール製等、任意である。この遮光装置１００は、ロールカーテン１３０以外の部分は、前記実施形態の遮光装置１０と同様な構成を有するので、同一部分には、同一符号を付し、図示や説明は省略する。
【００４２】
図５において、遮光装置１００は、前記実施形態の遮光装置１０と同様に、枠体２０を備え、枠体２０の下部２１には、ロールカーテン１３０の巻取部１３１を収納する収納部４０が設けられ、枠体２０の上部２２には、左右のワイヤ５０，５１を巻き取るリール６０，６１の軸６２を回転駆動する巻取用モータ７０が設けられ、枠体２０の左側部２３および右側部２４には、ロールカーテン１３０の上側端縁部１３２に設けられた軸１３３の左右両端部１３４，１３５を上下に摺動案内する左右のガイドレール８０，８１が設けられているが、これらの一部（前記実施形態の遮光装置１０と同様な構成を有する部分）については、図示を省略している。
【００４３】
ロールカーテン１３０の下部に設けられた巻取部１３１は、巻取軸１３６を中心に巻かれて形成され、この巻取軸１３６には、拡げられたロールカーテン１３０を巻き取って収納する方向に付勢する左右の巻き戻しばね１３７，１３８が取り付けられている。従って、収納部４０から上方に送り出されて拡げられたロールカーテン１３０は、常に収納部４０に収納される方向に引っ張られている状態となるので、ロールカーテン１３０を拡げた際には、撓むことなく遮光を行う姿勢を保持することができ、収納部４０に収納する際にも、撓むことなく円滑な収納を実現することができる。
【００４４】
巻取用モータ７０によるロールカーテン１３０の昇降制御は、前記実施形態のブラインド３０の昇降制御と同様である。なお、ロールカーテン１３０には、ブラインド３０とは異なり、スラット３１の傾斜調整に相当するものはないので、前記実施形態の傾斜調整用モータ９０に相当するものは設けられていない。従って、図５の遮光装置１００では、前記実施形態のスラット３１の傾斜調整に関する作用・効果は得られないが、その他の作用・効果は前記実施形態の遮光装置１０の場合と同様に得られる。
【００４５】
また、前記実施形態の遮光装置１０や上述した図５の遮光装置１００では、ワイヤ５０，５１は、左右のプーリ３５，３６を介して遮光体の上側端縁部を吊り下げる構成とされていたが、これに限定されるものではなく、ワイヤ５０，５１の端部を直接に遮光体の上側端縁部に取り付けてもよく、また、例えば、左右にそれぞれ３つずつ合計で６つのプーリを設置する等、プーリの設置個数を増やして巻取用モータ７０の負荷の軽減を図ってもよい。
【産業上の利用可能性】
【００４６】
以上のように、本発明の遮光装置は、建築物等の固定構造物や船舶等の移動構造物に設けられた窓の遮光や目隠しを行う場合に利用でき、特に、例えば風呂場、トイレ、洗面所のような特定目的の空間に設けられた窓の遮光や目隠しを行う場合等に用いるのに適している。
【符号の説明】
【００４７】
１０，１００  遮光装置
２０  枠体
３０  遮光体であるブラインド
３５，３６  プーリ
４０  収納部
５０，５１  ワイヤ
６０，６１  リール
７０  巻取用モータ
８０，８１  ガイドレール
９０  傾斜調整用モータ
１３０  遮光体であるロールカーテン
１３７，１３８  巻き戻しばね
【図１】
0005932930.tif 000002
【図２】
0005932930.tif 000003
【図３】
0005932930.tif 000004
【図４】
0005932930.tif 000005
【図５】
0005932930.tif 000006